(57)【要約】【課題】都市ごみ焼却灰やシュレッダーダスト等の金属含有廃棄物から回収される有価金属の品位を向上させる。【解決手段】金属含有廃棄物を磁石媒体を用いて粉砕しながら篩にかけ、篩上物を磁石媒体のキュリー温度以上かつ融点以下に加熱して磁石媒体の磁力を消失させた後、磁石媒体と磁着物を多く含む金属含有廃棄物に選別する金属含有廃棄物の処理方法。金属含有廃棄物を磁石媒体を用いて粉砕し、粉砕された金属含有廃棄物と磁石媒体を篩にかけ、篩上物を磁石媒体のキュリー温度以上かつ融点以下に加熱して磁石媒体の磁力を消失させた後、磁石媒体と磁着物を多く含む金属含有廃棄物に選別してもよい。加熱選別後の磁石媒体を金属含有廃棄物の粉砕又は粉砕しながらの篩選別に用いることができる。【選択図】図１
2020049416.tif 000002
【特許請求の範囲】
【請求項１】
金属含有廃棄物を磁石媒体を用いて粉砕し、
該粉砕された金属含有廃棄物と前記磁石媒体を篩にかけ、
該篩上物を前記磁石媒体のキュリー温度以上かつ融点以下に加熱して前記磁石媒体の磁力を消失させた後、前記磁石媒体と磁着物を多く含む金属含有廃棄物に選別することを特徴とする金属含有廃棄物の処理方法。
【請求項２】
金属含有廃棄物を磁石媒体を用いて粉砕しながら篩にかけ、
該篩上物を前記磁石媒体のキュリー温度以上かつ融点以下に加熱して前記磁石媒体の磁力を消失させた後、前記磁石媒体と磁着物を多く含む金属含有廃棄物に選別することを特徴とする金属含有廃棄物の処理方法。
【請求項３】
前記加熱選別後の磁石媒体を前記金属含有廃棄物の粉砕又は粉砕しながらの篩選別に用いることを特徴とする請求項１又は２に記載の金属含有廃棄物の処理方法。
【請求項４】
金属含有廃棄物を磁石媒体を用いて粉砕する粉砕機と、
該粉砕された金属含有廃棄物と前記磁石媒体が供給される第１の篩分け装置と、
該篩分け装置から排出された篩上物を前記磁石媒体のキュリー温度以上かつ融点以下に加熱して前記磁石媒体の磁力を消失させる加熱装置と、
該加熱装置から排出された加熱物を前記磁石媒体と磁着物を多く含む金属含有廃棄物に選別する第２の篩分け装置とを備えることを特徴とする金属含有廃棄物の処理装置。
【請求項５】
金属含有廃棄物を磁石媒体を用いて粉砕しながら篩選別する粉砕篩分け装置と、
該粉砕篩分け装置から排出された篩上物を前記磁石媒体のキュリー温度以上かつ融点以下に加熱して前記磁石媒体の磁力を消失させる加熱装置と、
該加熱装置から排出された加熱物を前記磁石媒体と磁着物を多く含む金属含有廃棄物に選別する篩分け装置とを備えることを特徴とする金属含有廃棄物の処理装置。
【請求項６】
前記加熱選別後の磁石媒体を前記粉砕機又は前記粉砕篩分け装置に戻す搬送装置を備えることを特徴とする請求項４又は５に記載の金属含有廃棄物の処理装置。
【発明の詳細な説明】
【技術分野】
【０００１】
本発明は、金属含有廃棄物の処理方法及び処理装置に関し、特に、都市ごみ焼却灰やシュレッダーダスト等から鉄等の有価金属を回収する技術に関する。
【背景技術】
【０００２】
都市ごみ焼却灰やシュレッダーダスト等の金属含有廃棄物から鉄等の有価金属を回収するにあたって、金属含有廃棄物を破砕、粉砕、解砕した後、磁力選別機で有価金属を回収するのが一般的である（例えば、特許文献１、２）。
【先行技術文献】
【特許文献】
【０００３】
【特許文献１】特開平１１−５７６５１号公報
【特許文献２】特開２００３−１２０９２１号公報
【発明の概要】
【発明が解決しようとする課題】
【０００４】
しかし、上記方法では、灰の団粒化や、処理対象物の破砕・粉砕・解砕不足が生じ、鉄等の目的とする回収物に灰や加熱物が付着したまま選別され、回収される鉄の品位が低下することがあった。
【０００５】
そこで、本発明は、上記従来技術における問題点に鑑みてなされたものであって、都市ごみ焼却灰やシュレッダーダスト等の金属含有廃棄物から鉄等の有価金属を回収にあたって、回収される有価金属の品位を向上させることを目的とする。
【課題を解決するための手段】
【０００６】
上記目的を達成するため、本発明は、金属含有廃棄物の処理方法であって、金属含有廃棄物を磁石媒体を用いて粉砕し、該粉砕された金属含有廃棄物と前記磁石媒体を篩にかけ、該篩上物を前記磁石媒体のキュリー温度以上かつ融点以下に加熱して前記磁石媒体の磁力を消失させた後、前記磁石媒体と磁着物を多く含む金属含有廃棄物に選別することを特徴とする。
【０００７】
また、本発明は、金属含有廃棄物の処理方法であって、金属含有廃棄物を磁石媒体を用いて粉砕しながら篩にかけ、該篩上物を前記磁石媒体のキュリー温度以上かつ融点以下に加熱して前記磁石媒体の磁力を消失させた後、前記磁石媒体と磁着物を多く含む金属含有廃棄物に選別することを特徴とする。
【０００８】
上記両発明によれば、金属含有廃棄物から磁着物として鉄等の有価金属を効率よく回収することができる。
【０００９】
上記金属含有廃棄物の処理方法において、前記加熱選別後の磁石媒体を前記金属含有廃棄物の粉砕又は粉砕しながらの篩選別に用いることができ、金属含有廃棄物を乾燥させたり脆化させることで効率的な粉砕・篩分けを行うことができる。
【００１０】
また、本発明は、金属含有廃棄物の処理装置であって、金属含有廃棄物を磁石媒体を用いて粉砕する粉砕機と、該粉砕された金属含有廃棄物と前記磁石媒体が供給される第１の篩分け装置と、該篩分け装置から排出された篩上物を前記磁石媒体のキュリー温度以上かつ融点以下に加熱して前記磁石媒体の磁力を消失させる加熱装置と、該加熱装置から排出された加熱物を前記磁石媒体と磁着物を多く含む金属含有廃棄物に選別する第２の篩分け装置とを備えることを特徴とする。
【００１１】
さらに、本発明は、金属含有廃棄物の処理装置であって、金属含有廃棄物を磁石媒体を用いて粉砕しながら篩選別する粉砕篩分け装置と、該粉砕篩分け装置から排出された篩上物を前記磁石媒体のキュリー温度以上かつ融点以下に加熱して前記磁石媒体の磁力を消失させる加熱装置と、該加熱装置から排出された加熱物を前記磁石媒体と磁着物を多く含む金属含有廃棄物に選別する篩分け装置とを備えることを特徴とする。
【００１２】
上記両発明によれば、金属含有廃棄物から磁着物として鉄等の有価金属を効率よく回収することができる。
【００１３】
上記金属含有廃棄物の処理装置において、前記加熱選別後の磁石媒体を前記粉砕機又は前記粉砕篩分け装置に戻す搬送装置を備えることができ、金属含有廃棄物を乾燥させたり脆化させることで効率的な粉砕・篩分けを行うことができる。
【発明の効果】
【００１４】
以上のように、本発明によれば、金属含有廃棄物から回収される有価金属の品位を向上させることができる。
【図面の簡単な説明】
【００１５】
【図１】本発明に係る金属含有廃棄物の処理方法の一実施の形態を説明するためのフローチャートである。
【図２】本発明に係る金属含有廃棄物の処理装置の一実施の形態を示す概略図である。
【発明を実施するための形態】
【００１６】
次に、本発明を実施するための形態について詳細に説明する。
【００１７】
図１は、本発明に係る金属含有廃棄物の処理方法の一実施の形態を示し、この処理方法は、まず都市ごみ焼却灰やシュレッダーダスト等の金属含有廃棄物を磁石ボール（磁石媒体）を用いて粉砕しながら篩にかける。この際、図２に示す粉砕篩分け装置１を用いることができる。
【００１８】
この粉砕篩分け装置１は、回転する篩い２の左方に金属含有廃棄物Ｗ及び磁石ボールＢの供給部３と、篩い２の右方に篩上物（磁石ボールＢ及び磁着物Ｍ）の排出部４と、篩い２の下方に篩下物（非磁着物Ｎ）の排出部５を備える。篩い２の目開きは２５ｍｍ程度に設定される。
【００１９】
この粉砕篩分け装置１の供給部３に、金属含有廃棄物Ｗ及び磁石ボールＢを供給し、篩い２の上で磁石ボールＢによって金属含有廃棄物Ｗを粉砕しながら篩選別する。これにより、非磁着物Ｎが排出部５から排出され、磁石ボールＢ及び磁着物Ｍが排出部４から排出される。
【００２０】
次に、図１に示すように、篩上物である磁石ボール及び磁着物を磁石ボールのキュリー温度以上かつ融点以下に加熱して磁石ボールの磁力を消失させる。この際、加熱装置には、ロータリーキルン等を用いることができる。尚、キュリー温度とは、その温度以上で強磁性体が強磁性を失う温度であって、鉄の場合には７５０℃程度である。これによって、磁石ボールと磁着物（磁着物を多く含む金属含有廃棄物）とが分離可能となるので、これらを篩い等で選別することで、有価金属等の磁着物を多く含む金属含有廃棄物を回収することができる。
【００２１】
上記加熱・選別後の磁石ボールは公知の方法で着磁され、この磁石ボールを搬送装置を用いて上記粉砕篩分け装置１に搬送し、再度金属含有廃棄物の粉砕・篩分けに用いる。この際、磁石ボールの温度はまだ高いため、都市ごみ焼却灰を乾燥させたり、シュレッダーダストを脆化させることができ、効率的な粉砕・篩分けを行うことができる。
【００２２】
尚、上記実施の形態においては、粉砕篩分け装置１を用いて金属含有廃棄物を磁石ボールを用いて粉砕しながら篩選別したが、必ずしも金属含有廃棄物の粉砕と篩選別を同時に行う必要はなく、ボールミル等で金属含有廃棄物を磁石ボールを用いて粉砕した後、篩分け装置で磁石ボール及び磁着物と、非磁着物に選別してもよい。
【００２３】
また、上記実施の形態においては、金属含有廃棄物を粉砕する媒体として磁石ボールを用いたが、必ずしもボールでなくてもよく、棒状、円柱状等の磁石媒体を用いることもできる。
【符号の説明】
【００２４】
１  粉砕篩分け装置
２  篩い
３  供給部
４、５  排出部
Ｂ  磁石ボール
Ｍ  磁着物
Ｎ  非磁着物
Ｗ  金属含有廃棄物
【図１】
2020049416.tif 000003
【図２】
2020049416.tif 000004